(57)【要約】【課題】壁との隙間の発生を抑制することができる巾木のコーナー部材を提供する。【解決手段】巾木のコーナー部材は、出隅コーナー部に設置される巾木のコーナー部材であって、可撓性を有し、ＪＩＳ  Ｋ  ６２５３デュロメータタイプＡで測定したショアＡ硬度が３０Ａ〜８０Ａであり、平面視一方向の延びる第一側板部２１，３１と、第一側板部２１，３１と平面視において直交する方向の延びる第二側板部２２，３２と、第一側板部２１，３１と第二側板部２２，３２とを連結する面取り板部２３，３３と、を備えることを特徴とする。【選択図】図２
2018150727.tif 000002
【特許請求の範囲】
【請求項１】
出隅コーナー部または入隅コーナー部に設置される巾木のコーナー部材であって、
可撓性を有し、ＪＩＳ  Ｋ  ６２５３デュロメータタイプＡで測定したショアＡ硬度が３０Ａ〜８０Ａであることを特徴とする巾木のコーナー部材。
【請求項２】
前記出隅コーナー部に設置され、
平面視一方向の延びる第一側板部と、
該第一側板部と平面視において直交する方向の延びる第二側板部と、
前記第一側板部と前記第二側板部とを連結する面取り板部と、を備えることを特徴とする請求項１に記載のコーナー部材。
【発明の詳細な説明】
【技術分野】
【０００１】
本発明は、巾木のコーナー部材に関するものである。
【背景技術】
【０００２】
従来から、住宅等の建築物の壁と床との取り合い部分には、壁に沿って長尺状の巾木が設置されている（下記特許文献１参照）。
【０００３】
また、出隅や入隅等のコーナー部分において、長尺状の巾木どうしを突き合わせて納めると、壁の施工精度等により、突き合わされる巾木間に隙間が生じたり、ずれが生じたりすることがある。このため、コーナー部分に、出隅または入隅の形状に対応したコーナー部材を設置することがある（下記特許文献２参照）。
【先行技術文献】
【特許文献】
【０００４】
【特許文献１】特開２０１２−２６１１１号公報
【特許文献２】特開２００９−２８１０５２号公報
【発明の概要】
【発明が解決しようとする課題】
【０００５】
しかしながら、コーナー部分では、一方の壁と他方の壁とが直角に立っていないと、壁と巾木のコーナー部材との間に隙間が生じる等の納まり上の不具合が生じるという問題点がある。
【０００６】
そこで、本発明は、上記事情に鑑みてなされたものであり、壁との隙間の発生を抑制することができる巾木のコーナー部材を提供する。
【課題を解決するための手段】
【０００７】
上記目的を達成するために、本発明は以下の手段を採用している。
すなわち、本発明に係る巾木のコーナー部材は、出隅コーナー部または入隅コーナー部に設置される巾木のコーナー部材であって、可撓性を有し、ＪＩＳ  Ｋ  ６２５３デュロメータタイプＡで測定したショアＡ硬度が３０Ａ〜８０Ａであることを特徴とする。
【０００８】
このように構成されたコーナー部材では、可撓性を有し、ＪＩＳ  Ｋ  ６２５３デュロメータタイプＡで測定したショアＡ硬度が３０Ａ〜８０Ａである。よって、壁に不陸があっても、巾木のコーナー部材は壁の形状、向き等に沿って変形して壁に追従するため、壁との隙間の発生が抑制させる。
【０００９】
また、本発明に係る巾木のコーナー部材は、前記出隅コーナー部に設置され、平面視一方向の延びる第一側板部と、該第一側板部と平面視において直交する方向の延びる第二側板部と、前記第一側板部と前記第二側板部とを連結する面取り板部と、を備えてもよい。
【００１０】
このように構成されたコーナー部材では、面取り板部が設けられているため、通行人が壁の出隅の下部に接触、衝突した際には、衝撃が緩和される。
【発明の効果】
【００１１】
本発明に係る巾木のコーナー部材によれば、壁との隙間の発生を抑制することができる。
【図面の簡単な説明】
【００１２】
【図１】本発明の一実施形態に係る巾木のコーナー部材の設置例を示す斜視図である。
【図２】本発明の一実施形態に係る巾木のコーナー部材の斜視図である。
【図３】本発明の一実施形態に係る巾木のコーナー部材の上面図である。
【図４】本発明の一実施形態に係る巾木のコーナー部材の側面図である。
【発明を実施するための形態】
【００１３】
本発明の一実施形態に係る巾木のコーナー部材について、図面に基づいて説明する。
図１は、本発明の一実施形態に係る巾木のコーナー部材の設置例を示す斜視図である。
図１に示すように、壁Ｗ（以下、Ｗ１，Ｗ２と称することがある。）と床Ｆとの取り合い部分には、長尺状の巾木１（以下、１Ａ，１Ｂと称することがある。）が設置されている。また、壁Ｗどうしが交わり凸をなす出隅部分（出隅コーナー部）には、巾木出隅役物（巾木のコーナー部材）２が設置されている。また、壁Ｗどうしが交わり凹んだ入隅部分（入隅コーナー部）には、巾木入隅役物（巾木のコーナー部材）４が設置されている。
【００１４】
以下において、巾木出隅役物２について説明する。
図２は、巾木出隅役物２の斜視図である。図３は、巾木出隅役物２の上面図である。図４は、巾木出隅役物２の側面図である。
図２から図４に示すように、巾木出隅役物２は、コーナー部本体２０と、コーナー部本体２０の下側に配置されたコーナー部下部３０と、を有している。コーナー部本体２０とコーナー部下部３０とは、互いに連結されている。
【００１５】
コーナー部本体２０は、一方の壁Ｗ１（図１参照。以下同じ。）に沿って配置される第一面部（第一側板部）２１と、他方の壁Ｗ２（図１参照。以下同じ。）に沿って配置される第二面部（第二側板部）２２と、第一面部２１と第二面部２２とを連結する面取り部（面取り板部）２３と、を有している。
【００１６】
平面視において、第一面部２１と第二面部２２とは、各延長線が直交するように配置されている。平面視において、面取り部２３は、第一面部２１及び第二面部２２と、それぞれ約１３５度傾斜して配置されている。
【００１７】
第一面部２１、第二面部２２及び面取り部２３の上端には、上方に向かうにしたがって次第に各第一面部２１、第二面部２２及び面取り部２３の裏側（壁Ｗ側）に向かうように傾斜した第一傾斜部２４が形成されている。
【００１８】
第一傾斜部２４の上端には、略水平に形成された上面部２５が形成されている。上面部２５の端部が壁Ｗに当接するようにして、巾木出隅役物２は設置されている。
【００１９】
第一面部２１、第二面部２２及び面取り部２３の各下端は、略水平面に沿って配置された取付壁部２６で連結されている。取付壁部２６には、上下方向に貫通する複数の取付孔２７が形成されている。
【００２０】
第一面部２１の裏側には、第一面部２１の延在方向（一方の壁Ｗ１）に沿って延びる第一挿入部２８が設けられている。第二面部２２の裏側には、第二面部２２の延在方向（他方の壁Ｗ２）に沿って延びる第二挿入部２９が設けられている。
【００２１】
第一面部２１の第一挿入部２８は、一方の壁Ｗ１に沿って設置された長尺状の巾木１Ａ（図１参照。以下同じ。）に形成された溝部（不図示）に挿入されている。第二面部２２の第二挿入部２９は、他方の壁Ｗ２に沿って設置された長尺状の巾木１Ｂ（図１参照。以下同じ。）に形成された溝部（不図示）に挿入されている。これにより、巾木出隅役物２の巾木１に対する位置ずれや、巾木出隅役物２が巾木１から脱落することが抑制される。
【００２２】
コーナー部下部３０は、第一面部２１の下側に設置される第一下部（第一側板部）３１と、第二面部２２の下側に設置される第二下部（第二側板部）３２と、面取り部２３の下側に設置される面取り下部（面取り板部）３３と、を有している。
【００２３】
平面視において、第一下部３１と第二下部３２とは、各延長線が直交するように配置されている。平面視において、面取り下部３３は、第一下部３１及び第二下部３２と、それぞれ約１３５度傾斜して配置されている。
【００２４】
第一下部３１、第二下部３２及び面取り下部３３の各上端は、略水平面に沿って配置された取付壁部３６で連結されている。取付壁部３６には、上方に延びる複数の突起３５が形成されている。
【００２５】
コーナー部下部３０に設けられた突起３５は、コーナー部本体２０に形成された取付孔２７に挿入されている。これにより、コーナー部本体２０とコーナー部下部３０とは、互いに連結されている。
【００２６】
コーナー部本体２０及びコーナー部下部３０の材料の特性を以下に示す。
【００２７】
【表１】
2018150727.tif 000003
【００２８】
表１に示すように、ＪＩＳ  Ｋ  ６２５３デュロメータタイプＡで測定したショアＡ硬度が３０Ａ〜８０Ａである。具体的には、ポリ塩化ビニル系熱可塑性エラストマー（ＴＰＶＣ）では、硬度（ショア硬さ）４０Ａ〜８０Ａが好ましい。スチレン系熱可塑性エラストマー（ＳＢＣ）では、硬度（ショアＡ硬度）３０Ａ〜８０Ａが好ましい。オレフィン系熱可塑性エラストマー（ＴＰＯ）では、硬度（ショアＡ硬度）６０Ａ〜８０Ａが好ましい。熱可塑性ポリウレタン樹脂（ＴＰＵ）では、硬度（ショアＡ硬度）７０Ａ〜８０Ａが好ましい。ポリエステル系熱可塑性エラストマー（ＴＰＥＥ）では、硬度（ショアＡ硬度）４０Ａ〜８０Ａが好ましい。
【００２９】
また、表１に示すように、ＪＩＳ  Ｋ  ６２６２の「加硫ゴム及び可塑性ゴムの常温・高温及び低温における圧縮永久歪みの求め方」に基づき測定される圧縮永久歪が２０％〜９０％である。具体的には、ポリ塩化ビニル系熱可塑性エラストマー（ＴＰＶＣ）では、圧縮永久歪５０％〜９０％が好ましい。スチレン系熱可塑性エラストマー（ＳＢＣ）では、圧縮永久歪４０〜８０％が好ましい。オレフィン系熱可塑性エラストマー（ＴＰＯ）では、圧縮永久歪７５〜９０％が好ましい。熱可塑性ポリウレタン樹脂（ＴＰＵ）では、圧縮永久歪２０〜５０％が好ましい。ポリエステル系熱可塑性エラストマー（ＴＰＥＥ）では、圧縮永久歪３０〜６０％が好ましい。
【００３０】
本実施形態では、コーナー部本体２０及びコーナー部下部３０は、それぞれ射出成形により成形されている。
【００３１】
上記の巾木１Ａ，１Ｂ及び巾木出隅役物２を施工する際には、一方の巾木１Ａと巾木出隅役物２とを接着剤で固定する。この状態で、巾木１Ａと巾木出隅役物２を壁Ｗ１にタッカー等で固定し、その後他方の巾木１Ｂを巾木出隅役物２に接着するとともに壁Ｗ２にタッカー等で固定する。
【００３２】
なお、巾木出隅役物２は壁の出隅に対応した形状をなしているのに対して、巾木入隅役物４は壁の入隅に対応した形状をなしており、説明を省略する。
【００３３】
このように構成された巾木出隅役物２及び巾木入隅役物４では、可撓性を有し、硬度が３０Ａ〜８０Ａである。よって、壁Ｗに不陸があっても、巾木出隅役物２及び巾木入隅役物４は壁Ｗの形状、向き等に沿って変形して壁Ｗに追従するため、壁Ｗとの隙間の発生が抑制させる。
例えば、平面視における壁Ｗ１，Ｗ２のなす角度が９０度よりも大きい場合には、巾木出隅役物２は、面取り部２３及び面取り下部３３に対して、第一面部２１、第二面部２２、第一下部３１及び第二下部３２がそれぞれ１３５度以上に開くように変形して、壁Ｗ１，Ｗ２に追従する。また、平面視における壁Ｗ１，Ｗ２のなす角度が９０度よりも小さい場合には、巾木出隅役物２は、面取り部２３及び面取り下部３３に対して、第一面部２１、第二面部２２、第一下部３１及び第二下部３２がそれぞれ１３５度以下に開くように変形して、壁Ｗ１，Ｗ２に追従する。
【００３４】
また、巾木出隅役物２には面取り部２３及び面取り下部３３が設けられているため、通行人が壁の出隅の下部に接触、衝突した際には、衝撃が緩和される。さらに、巾木出隅役物２は、上記のように可撓性を有するため、衝突した際の衝撃が吸収される。
【００３５】
なお、上述した実施の形態において示した各構成部材の諸形状や組み合わせ等は一例であって、本発明の主旨から逸脱しない範囲において設計要求等に基づき種々変更可能である。
【符号の説明】
【００３６】
１…巾木
２…巾木出隅役物（巾木のコーナー部材）
４…巾木入隅役物（巾木のコーナー部材）
２０…コーナー部本体
２１…第一面部（第一側板部）
２２…第二面部（第二側板部）
２３…面取り部（面取り板部）
２４…第一傾斜部
２５…上面部
２６…取付壁部
２７…取付孔
２８…第一挿入部
２９…第二挿入部
３０…コーナー部下部
３１…第一下部（第一側板部）
３２…第二下部（第二側板部）
３３…面取り下部（面取り板部）
３６…取付壁部
３５…突起
Ｆ…床
Ｗ…壁
【図１】
2018150727.tif 000004
【図２】
2018150727.tif 000005
【図３】
2018150727.tif 000006
【図４】
2018150727.tif 000007